(57)【特許請求の範囲】
【請求項１】
対向した支持線間に山形状列線が隣接して複数掛け渡され、この隣接した山形状列線の各屈曲部の先端同士を重ね合わせてフープを形成し、このフープを捻って大網目と小網目とからなる網体を形成し、この網体を函状に組み合わせて形成したことを特徴とする籠体。
【請求項２】
対向した支持線間に山形状列線が隣接して複数掛け渡され、この隣接した山形状列線の各屈曲部の先端同士を重ね合わせてフープを形成し、このフープを捻って大網目と小網目とからなる網体を形成し、この網体における小網目と大網目との間の捻り部の任意の列の捻り部を折り曲げて筒体を形成し、この筒体の両側面を他の網体で形成したことを特徴とする籠体。
【請求項３】
小網目は大網目に対して垂直、水平または所定の角度に傾斜した状態のいずれかであることを特徴とする請求項１または２に記載の籠体。
【請求項４】
垂直な小網目または所定の角度に傾斜した状態の小網目には支持線と平行な線材が通されたことを特徴とする請求項３に記載の籠体。
【発明の詳細な説明】
【０００１】
【発明の属する技術分野】
本発明は籠体に関するものである。
【０００２】
【従来の技術】
従来、菱形金網などで形成されたフトン籠と呼ばれる籠体３３は、図１４に示すように、現場で組み立て、そのなかに割栗り石３２を詰めて河川などに敷き並べていた。また亀甲金網で形成された籠体３３は、吊り下げワイヤーのフックを網目に引っ掛けて吊り上げていた。
【０００３】
【発明が解決しようとする課題】
しかし、上記のように河川に敷き並べた籠体は上面が平滑になって、滑りやすくなるという問題があった。また現場での籠体の組み立てには手間がかかった。さらに吊り下げワイヤーのフックを網目に引っ掛けていたため、籠体の吊り上げ時に、網目に応力が集中して破断してしまうという問題があった。
【０００４】
本発明はこれらの問題に鑑みてなされたものであり、上面が滑りにくく、かつ吊り下げワイヤーのフックを網目に引っ掛けずに吊り上げることができる籠体を提供することである。
【０００５】
【課題を解決するための手段】
以上の課題を解決するための籠体は、対向した支持線間に山形状列線が隣接して複数掛け渡され、この隣接した山形状列線の各屈曲部の先端同士を重ね合わせてフープを形成し、このフープを捻って大網目と小網目とからなる網体を形成し、この網体を函状に組み合わせて形成したことを特徴とする。
【０００６】
また籠体は、対向した支持線間に山形状列線が隣接して複数掛け渡され、この隣接した山形状列線の各屈曲部の先端同士を重ね合わせてフープを形成し、このフープを捻って大網目と小網目とからなる網体を形成し、この網体における小網目と大網目との間の捻り部の任意の列の捻り部を折り曲げて筒体を形成し、この筒体の両側面を他の網体で形成したことを特徴とする。
【０００７】
大網目に対し垂直または所定の角度に傾斜した屈曲部が籠体の上面における滑り止め用の突起となるため、籠体上面が滑りにくくなる。また籠体を積み重ねると、屈曲部が上段側または下段側の籠体に食い込んで籠体同士のずれ止め用の突起となる。小網目に通した線材に吊り下げワイヤーのフックを引っ掛けると、網目に集中する応力を均等に分散させることができるので、網目の破断を防ぐことができる。網体の小網目と大網目との間の捻り部を折り曲げて筒体を形成すると、この折り曲げ片が他の筒体の側面になるので、この筒体の側面を別途に形成する必要がない。小網目に線材を通すことにより、大きさの異なる網目の籠体が形成できるので、大きさの異なる割栗り石を詰め込むことができる。
【０００８】
【発明の実施の形態】
以下、本発明の籠体の実施の形態について説明する。また各実施の形態において同じ構成は同じ符号を付して説明し、異なった構成にのみ異なった符号を付して説明する。
【０００９】
図１は第１の実施の形態の籠体を示したものである。この籠体１は網体２を直方体に組み立ててコイル３で結束したものであり、その表面に小網目４の屈曲部５が突出している。
【００１０】
この網体２は、図２に示すように、対向した支持線６間に掛け渡された複数の山形状列線７で形成された亀甲金網である。これらの山形状列線７は両端部が支持線６に巻き付けられ、隣接する屈曲部５同士が絡み合わされて大網目８と菱形の小網目４とを形成している。
【００１１】
この小網目４は、図３に示すように、隣接した山形状列線７の屈曲部５の先端部同士を重ね合わせて四角形のフープ５ａを形成し、このフープ５ａを数回捻って形成したものであり、この形成により大網目８も形成される。この小網目４は大網目８に対して垂直または傾斜状（後述する線材を通すことができる程度の傾斜）に形成されている。一方、両側の山形状列線１０における小網目を形成しない屈曲部１１には側線１２が通されている。
【００１２】
このように形成された網体２は、小網目４と大網目との間の捻り部９がヒンジの役目をするため、支持線６に対して直交した方向に折り曲げできるようになっている。また小網目４の傾斜角度は、籠体１表面からの突出長さに応じて任意に変えることができる。例えば、突出長さを小さくする場合は、水平に近い傾斜角度にするが、反対に突出長さを大きくする場合は、垂直か或いはこれに近い傾斜角度にする。
【００１３】
このような籠体１を、図４に示すように、河川などに積み重ねて敷き並べると、上段の籠体１３の上面から突出した屈曲部５が滑り止め用の突起となり、中段の籠体１４の上下面から突出した屈曲部５が上下段の籠体１３、１５に食い込んでずれ止め用の突起になっている。
【００１４】
また図５に示すように、上段側の籠体１３の底網が、下段側の籠体１４、１５の上蓋１６の一部になるように積み重ねると、下段側の籠体１４、１５の上蓋１６における屈曲部５が上段側の籠体１３、１４の底網に食い込むため、上蓋１６と底網とをコイル３で結束する必要がなくなる。
【００１５】
また図６は第２の実施の形態の籠体１７を示したものである。この籠体１７は、図２に示すように、ヒンジの役目をする捻り部９の任意の列の捻り部９を、支持線６に対して直交した方向に折り曲げて角形の筒体１８を形成し、この両側面を同じ構成の網体１９で形成したものである。このように小網目４と大網目との間の捻り部９を折り曲げることができるので、籠体１７が簡単に組み立てられる。
【００１６】
また図７は第３の実施の形態の籠体２０を示したものである。この籠体２０は、図８に示す網体２１を組み合わせて形成したものである。この網体２１は、支持線６と平行な線材２２を小網目４に通し、その両端部を側線１２に結束したものであり、これ以外は図２の網体２と同じ構成である。このように小網目４に線材２２を通すと、大網目８を二つに区切った小さな網目８ａの籠体２０を形成することができる。この籠体２０は、側面の線材２２に吊り下げワイヤーのフックを引っ掛けることができるので、大網目８に集中する応力を均等に分散させることができる。
【００１７】
またこの籠体２０においては、網目の大きさを変えることができるので、大きな割栗り石と小さな割栗り石とを詰めることもできる。また線材２２は上記のように全ての小網目４に通すのではなく、一つおきの小網目または両端側の小網目にのみ通すこともできる（図示せず）。
【００１８】
また図９は第４の実施の形態の籠体２３を示したものである。この籠体２３は、図５と同じように、ヒンジの役目をする捻り部９の任意の列の捻り部９を、支持線６に対して直交した方向に折り曲げて角形の筒体２４を形成し、この両側面を同じ構成の網体２５で形成したものである。この場合は、図１０の（１）に示すように、線材２２の折り曲げ部２６がヒンジ接合になっているため、網体２１と同じように、折り曲げが簡単にできる。また、この籠体２３を、図４または５のように積み上げると、同じような効果を奏することもできる。
【００１９】
また図９の籠体２３は直方体であるが、図１１に示すように、平積みの場合の立方体の籠体２７を形成すると、筒体２４の折り曲げ片２８が、他の筒体２４の側板となるので、一種類の筒体２４のみを形成することにより平積みの籠体２７が簡単に形成できる。
【００２０】
また図１２は第５の実施の形態の籠体３０を示したものである。この籠体３０は、図１３に示すような、水平な小網目４を備えた網体３１により形成したものであり、これ以外は図１の籠体１と同じ構成である。このように小網目４を水平にすると、大網目８の大きさを自由に変えることができる。また（２）に示すように、小網目４を大きく形成して大網目８を二分割することともできる。なお、この籠体３０は第４の実施の形態の籠体２３と同じ方法で形成することもできる。
【００２１】
【発明の効果】
大網目に対し垂直または所定の角度に傾斜した屈曲部が籠体の上面における滑り止め用の突起となるため、籠体上面が滑りにくくなる。
【００２２】
籠体の内面側に突出した屈曲部が割栗り石のずれ止めになる。
【００２３】
籠体を積み重ねると、表面から突出した屈曲部が上段側または下段側の籠体に食い込んで籠体同士のずれ止め用の突起になる。
【００２４】
小網目に通した線材に吊り下げワイヤーのフックを引っ掛けると、網目に集中する応力を均等に分散させることができるので、網目の破断を防ぐことができる。
【００２５】
網体の小網目と大網目との間の捻り部を折り曲げて筒体を形成すると、この折り曲げ片が他の筒体の側面になるので、この筒体の側面を別途に形成する必要がない。
【００２６】
小網目に線材を通すことにより、大きさの異なる網目の籠体が形成できるので、大きさの異なる割栗り石を詰め込むことができる。
【図面の簡単な説明】
【図１】第１の実施の形態の籠体を示し、（１）は斜視図、（２）は平面図、（３）は（２）のＡ−Ａ線断面図、（４）は（２）のＢ−Ｂ線断面図である。
【図２】図１の籠体を形成する網体の斜視図である。
【図３】（１）および（２）は小網目を形成する方法を示した平面図である。
【図４】（１）は第１の実施の形態の籠体を積み重ねた斜視図、（２）は断面図である。
【図５】（１）は第１の実施の形態の籠体を積み重ねた斜視図、（２）は断面図である。
【図６】（１）は第２の実施の形態の籠体の組立方法を示す斜視図、（２）は同断面図である。
【図７】第３の実施の形態の籠体を示し、（１）は斜視図、（２）は平面図、（３）は（２）のＣ−Ｃ線断面図、（４）は（２）のＤ−Ｄ線断面図である。
【図８】図３の籠体を形成する網体の斜視図である。
【図９】第４の実施の形態の籠体の組立方法を示す斜視図である。
【図１０】第４の実施の形態の籠体の組立方法を示し、（１）は網体の平面図、（２）は同断面図である。
【図１１】第４の実施の形態の籠体の組立方法を示し、（１）は平積みの籠体の斜視図、（２）は組立方法を示す平面図である。
【図１２】（１）は第４の実施の形態の籠体の斜視図、（２）は同平面図である。
【図１３】（１）および（２）は第４の実施の形態の籠体を形成する網体の斜視図である。
【図１４】従来の籠体の斜視図である。
【符号の説明】
１、１３、１４、１５、１７、２０、２３、２７、３０、３３  籠体
２、１９、２１、２５、３１  網体
３  コイル
４  小網目
５  屈曲部
６  支持線
７、１０  山形状列線
８  大網目
９  捻り部
１１  屈曲部
１２  側線
１６  上蓋
１８、２４  筒体
２２  線材
２６  折り曲げ部
２８  折り曲げ片
３２  割栗り石
【図１】
0003624188.tif 000002
【図２】
0003624188.tif 000003
【図３】
0003624188.tif 000004
【図４】
0003624188.tif 000005
【図５】
0003624188.tif 000006
【図６】
0003624188.tif 000007
【図７】
0003624188.tif 000008
【図８】
0003624188.tif 000009
【図９】
0003624188.tif 000010
【図１０】
0003624188.tif 000011
【図１１】
0003624188.tif 000012
【図１２】
0003624188.tif 000013
【図１３】
0003624188.tif 000014
【図１４】
0003624188.tif 000015